(57)【要約】【課題】ホーロー処理を施した天板の変形（反り）が抑制されて、しかも、うわぐすりの溜まりが生じることが抑制されるガスコンロを提供する。【解決手段】上下面にホーロー処理が施される天板１２が、略矩形の平板の周縁が下方に折曲されて形成される外周部１３と、外周部１３に囲繞される平面部１４とを有する。平面部１４は、前方寄りの左右２箇所に形成される前側バーナ突出用開口部２１、２２とこの間の後方に形成される後側バーナ突出用開口部２３と、開口部２１〜２３の周縁が上方に隆起形成される開口周縁部２０と、を有する。平面部１４において、第１平面領域３、第２平面領域４、第３平面領域５が設けられる。領域３〜５の下面に形成されたガラス皮膜の膜厚が、領域３〜５以外の下面の膜厚より厚膜に構成され、領域３〜５の周縁部の下面の膜厚が、領域３〜５の中心部の下面の膜厚より薄膜に構成される。【選択図】図２
2015117852.tif 000002
【特許請求の範囲】
【請求項１】
機器本体と、前記機器本体の上面を覆う天板と、を備え、
前記天板は、略矩形の平板の前後左右の外周縁部が下方に折曲されて形成されカウンター上に載置される外周部と、前記平板の前記外周部に囲繞される領域として形成される平面部とを有し、
前記平面部は、前方寄りの左右の２箇所に形成される前側バーナ突出用開口部と、この前側バーナ突出用開口部の間の後方に形成される後側バーナ突出用開口部と、前記前側バーナ突出用開口部及び前記後側バーナ突出用開口部夫々の周縁が上方に隆起形成される五徳位置決め部としての開口周縁部と、を有し、
前記平面部の上面及び下面にホーロー処理が施されてなるガスコンロにおいて、
前記平面部における、前縁の後方で、且つ、前記前側バーナ突出用開口部に対応する２箇所の前記開口周縁部の間で、且つ、前記後側バーナ突出用開口部に対応する前記開口周縁部の前方の位置に、第１平面領域が形成され、
前記平面部における、後縁の前方で、且つ、前記後側バーナ突出用開口部に対応する前記開口周縁部の左方で、且つ、左縁の右方で、且つ、左側の前記前側バーナ突出用開口部に対応する前記開口周縁部の後方の位置に、第２平面領域が形成され、
前記平面部における、後縁の前方で、且つ、前記後側バーナ突出用開口部に対応する前記開口周縁部の右方で、且つ、右縁の左方で、且つ、右側の前記前側バーナ突出用開口部に対応する前記開口周縁部の後方に位置する第３平面領域が形成され、
前記第１平面領域及び前記第２平面領域及び前記第３平面領域の下面に形成されたホーロー処理によるガラス皮膜の膜厚が、前記第１平面領域及び前記第２平面領域及び前記第３平面領域以外の前記平面部の下面に形成されたホーロー処理によるガラス皮膜の膜厚より厚膜に構成され、
前記第１平面領域及び前記第２平面領域及び前記第３平面領域夫々の周縁部の下面における前記ガラス皮膜の膜厚が、前記第１平面領域及び前記第２平面領域及び前記第３平面領域夫々の中心部の下面における前記ガラス皮膜の膜厚より薄膜に構成されることを特徴とするガスコンロ。
【請求項２】
前記第１平面領域と前記第２平面領域とが重なる重複領域と、前記第１平面領域と前記第３平面領域とが重なる重複領域とが設けられ、
両前記重複領域における前記ガラス皮膜の膜厚が、前記重複領域以外の前記第１平面領域及び前記第２平面領域及び前記第３平面領域夫々の前記周縁部の前記ガラス皮膜の膜厚より厚膜に構成されることを特徴とする請求項１記載のガスコンロ。
【発明の詳細な説明】
【技術分野】
【０００１】
本発明は、ガスコンロに関するものである。
【背景技術】
【０００２】
従来技術１として、特許文献１に示されるように、バーナ突出用開口部を有する天板の表面にホーロー処理を施してなるガスコンロが知られている。
【０００３】
また、従来技術２として、非特許文献１の第３頁「（３）七宝花弁と霰文三角金板」に示される「一般の七宝は裏にも釉薬を施してある。片面しか釉を施さない時には、釉薬と胎（金属）の膨張率の違いによって、焼成したのち、冷却時に反りをきたす。反りだけでなく、胎が変形し、釉薬に罅が入り、時により剥落する。両面に釉薬を焼き付ければ、表裏が同じ条件になるので反りを防ぐことが出来る」という技術が知られている。
【先行技術文献】
【特許文献】
【０００４】
【特許文献１】特開２００１−３４９５５８号公報
【非特許文献】
【０００５】
【非特許文献１】平成１４年３月２５日発行_正倉院紀要第２４号「平成１４年３月正倉院宝物黄金瑠璃鈿背十二稜鏡の模造について」
【発明の概要】
【発明が解決しようとする課題】
【０００６】
従来技術１においてホーロー処理に用いるうわぐすり（釉薬）は、焼成する際の溶融状態にある時は、液体状態であるため応力は発生せず、天板に歪みがない状態であっても、焼成が終了し冷却の段階で、線膨張係数の大きい側は、より大きく収縮する。
【０００７】
一般的に、ホーロー用のうわぐすりの熱膨張係数は、生地（ホーロー用鋼板）より小さいため、うわぐすりのガラスと生地との界面で応力が発生する。
【０００８】
このため、生地の表面（上面）のみにホーロー処理を施した場合、上に凸となる変形（反り）が生じやすい。この変形（反り）の程度は、うわぐすりの線膨張係数と生地の線膨張係数との差が大きい程大きくなる。
【０００９】
天板に変形（反り）がある場合、ガスコンロの使用時において、天板の温度上昇によって、変形（反り）がさらに大きくなった場合に、外観を損なうことになる。
【００１０】
そこで、生地の裏面にも表面と同様にうわぐすりを塗布して焼成することで、表面においてうわぐすりのガラスと生地との界面で作用する焼成終了時の冷却による熱応力が、裏面にも作用することになり、変形（反り）の発生が抑制されるという従来技術２を、従来技術１に適用することで、天板の変形（反り）を抑制することが考えられる。
【００１１】
しかし、バーナ突出用開口部を有する天板の上面と下面との両面にホーロー処理を施した場合、天板の外周縁及びバーナ突出用開口部周縁にうわぐすりの溜まりが生じやすく、このうわぐすりの溜まりが焼成されてガラス状の溜り片に固化したときに、このガラス状の溜り片が欠けて意匠性を著しく損なうことになるおそれがある。
【００１２】
本発明は上記従来の問題点に鑑みて発明したものであって、その目的とするところは、ホーロー処理を施した天板の変形（反り）が抑制されて、しかも、天板の外周縁及びバーナ突出用開口部周縁にうわぐすりの溜まりが生じることが抑制され意匠性を損なうことが抑制されるガスコンロを提供することを課題とする。
【課題を解決するための手段】
【００１３】
上記課題を解決するために、本発明は、機器本体と、前記機器本体の上面を覆う天板と、を備え、前記天板は、略矩形の平板の前後左右の外周縁部が下方に折曲されて形成されカウンター上に載置される外周部と、前記平板の前記外周部に囲繞される領域として形成される平面部とを有し、前記平面部は、前方寄りの左右の２箇所に形成される前側バーナ突出用開口部と、この前側バーナ突出用開口部の間の後方に形成される後側バーナ突出用開口部と、前記前側バーナ突出用開口部及び前記後側バーナ突出用開口部夫々の周縁が上方に隆起形成される五徳位置決め部としての開口周縁部と、を有し、前記天板の上面及び下面にホーロー処理が施されてなるガスコンロにおいて、前記平面部における、前縁の後方で、且つ、前記前側バーナ突出用開口部に対応する２箇所の前記開口周縁部の間で、且つ、前記後側バーナ突出用開口部に対応する前記開口周縁部の前方の位置に、第１平面領域が設けられ、前記平面部における、後縁の前方で、且つ、前記後側バーナ突出用開口部に対応する前記開口周縁部の左方で、且つ、左縁の右方で、且つ、左側の前記前側バーナ突出用開口部に対応する前記開口周縁部の後方の位置に、第２平面領域が設けられ、前記平面部における、後縁の前方で、且つ、前記後側バーナ突出用開口部に対応する前記開口周縁部の右方で、且つ、右縁の左方で、且つ、右側の前記前側バーナ突出用開口部に対応する前記開口周縁部の後方に位置する第３平面領域が設けられ、前記第１平面領域及び前記第２平面領域及び前記第３平面領域の下面に形成されたホーロー処理によるガラス皮膜の膜厚が、前記第１平面領域及び前記第２平面領域及び前記第３平面領域以外の前記平面部の下面に形成されたホーロー処理によるガラス皮膜の膜厚より厚膜に構成され、前記第１平面領域及び前記第２平面領域及び前記第３平面領域夫々の周縁部の下面における前記ガラス皮膜の膜厚が、前記第１平面領域及び前記第２平面領域及び前記第３平面領域夫々の中心部の下面における前記ガラス皮膜の膜厚より薄膜に構成されることを特徴とする。
【００１４】
また、前記第１平面領域と前記第２平面領域とが重なる重複領域と、前記第１平面領域と前記第３平面領域とが重なる重複領域とが設けられ、両前記重複領域における前記ガラス皮膜の膜厚が、前記重複領域以外の前記第１平面領域及び前記第２平面領域及び前記第３平面領域夫々の前記周縁部の前記ガラス皮膜の膜厚より厚膜に構成されることが好ましい。
【発明の効果】
【００１５】
請求項１に係る発明にあっては、ガスコンロの使用に伴う温度上昇が大きくなる、第１平面領域及び第２平面領域及び第３平面領域の下面に、第１平面領域及び第２平面領域及び第３平面領域以外の平面部の下面より厚膜のガラス皮膜が形成されるから、ガスコンロの使用に伴う天板の反りが抑制される。また、第１平面領域及び第２平面領域及び第３平面領域夫々の周縁部の下面におけるガラス皮膜の膜厚が、夫々の中心部の下面におけるガラス皮膜の膜厚より薄く構成されるから、天板の外周縁及びバーナ突出用開口部周縁に厚膜のガラス皮膜形成に伴ううわぐすりの溜まりが生じることが抑制される。さらに、厚膜に構成されるガラス皮膜は、天板の下面に形成されるから、平面部においてホーロー処理によるガラス皮膜が異なることによる斑が使用時に視認されることなく、ガスコンロの意匠性を損なうことが無い。
【００１６】
請求項２に係る発明にあっては、平面部に位置する重複領域においてガラス皮膜の膜厚が厚膜に構成されるので、ガスコンロの使用に伴う天板の反りが一層効果的に抑制される。
【図面の簡単な説明】
【００１７】
【図１】本発明の第１実施形態のガスコンロの斜視図である。
【図２】第１実施形態における天板の平面図である。
【図３】第２実施形態における天板の平面図である。
【図４】第３実施形態における天板の平面図である。
【発明を実施するための形態】
【００１８】
本発明の第１実施形態について図１及び図２に基いて説明する。本発明のガスコンロ１は、図１に示すように、キッチン等に設置されるカウンター（不図示）に穿設された開口部に嵌入（挿入）されて設置されるドロップインコンロが主な対象である。
【００１９】
ガスコンロ１は、概ね箱状をし、内部に収容されるコンロバーナ１０の上部を上方に露出させるための上開口（不図示）を有する機器本体１１と、機器本体１１の上面を覆う天板１２と、を備える。
【００２０】
特に図示しないが、機器本体１１内にはグリルバーナを備えたグリルが収容され、グリルの前開口は、機器本体１１の前面に設けられたグリル扉１６によって開閉自在に閉塞される。ガスコンロ１の前面部を構成する前面パネルには、各バーナ（コンロバーナ１０、グリルバーナ）を操作するための操作部が設けてある。操作部は、対応する各バーナの点火及び消火の切り替えや火力調節を指令するものであり、これを受けてマイクロコンピュータからなる制御部が各バーナの制御を行うと共に、バーナ毎に、調理タイマーモード、湯沸しモード、炊飯モード等の自動調理モードを設定できるようになっている。各バーナには、都市ガス等の燃料ガスを供給するガス供給路を介してガスが供給される。ガス供給路には、元電磁弁、流量制御弁、流量制御弁を駆動する駆動手段が設けられる。操作部を操作して制御部に点火の指令を送ると、指令を受けた制御部は、指令を受けたバーナに対応するガス供給路の元電磁弁を開き、流量制御弁を所定開度で開くと共に点火プラグをスパークさせて点火させる。
【００２１】
天板１２は、略矩形の平板の前後左右の外周縁部が下方に折曲されて形成されることで、カウンター上に載置される外周部１３と、平板の外周部１３に囲繞される領域として形成される平面部１４とを有する。平板は、第１実施形態においてはホーロー用鋼板により構成されるが、鋼板以外の金属製でもよい。
【００２２】
平面部１４には、図２に示すように、前方寄り（前半部）の左側の半部に前側バーナ突出用開口部２１が形成され、前方寄りの右側の半部に前側バーナ突出用開口部２２が形成される。また、左右の前側バーナ突出用開口部２１、２２の間の後方（好ましくは平面部１４の後半部）に、後側バーナ突出用開口部２３が形成される。
【００２３】
また、第１実施形態においては、平面部１４の後縁１４ｂの近傍に、グリルの排気を排出するための排気口１７が形成される。
【００２４】
前側バーナ突出用開口部２１、２２、後側バーナ突出用開口部２３の夫々の周縁が上方に隆起するように形成されることで、五徳爪および五徳爪を連結する五徳枠を備える五徳１５（特に五徳枠）の位置決めを行う、五徳位置決め部としての開口周縁部２０が設けられる。
【００２５】
天板１２の上面及び下面にはホーロー処理が施され、ガラス皮膜により覆われる。
【００２６】
平面部１４における、前縁１４ａの後方で、且つ、前側バーナ突出用開口部２１、２２に対応する２箇所の開口周縁部２０の間で、且つ、後側バーナ突出用開口部２３に対応する開口周縁部２０の前方の位置に、第１平面領域３が設けられる。
【００２７】
また、平面部１４における、後縁１４ｂの前方で、且つ、後側バーナ突出用開口部２３に対応する開口周縁部２０の左方で、且つ、左縁１４ｃの右方で、且つ、左側の前側バーナ突出用開口部２１に対応する開口周縁部２０の後方の位置に、第２平面領域４が設けられる。
【００２８】
また、平面部１４における、後縁１４ｂの前方で、且つ、後側バーナ突出用開口部２３に対応する開口周縁部２０の右方で、且つ、右縁１４ｄの左方で、且つ、右側の前側バーナ突出用開口部２２に対応する開口周縁部２０の後方の位置に、第３平面領域５が設けられる。
【００２９】
第１実施形態においては、第１平面領域３と第２平面領域４と第３平面領域５とを夫々略円形の領域として設定されるが、楕円（楕円状）、卵形等でもよい。
【００３０】
外周部１３及び開口周縁部２０は、平板が下方向に折り曲げて形成されたり、または、平板が上下に沿う方向に凹凸に屈曲して形成されるものであるから、ガスコンロ１の使用に伴い天板１２の温度が上昇したときにも、上下に反りが生じて変形することが抑制される。
【００３１】
これに対して、第１平面領域３と第２平面領域４と第３平面領域５は、コンロバーナ１０近傍に位置し、上下に屈曲加工されていない比較的広い平面部であるから、ガスコンロ１の使用に伴う温度上昇が大きくなると共に、天板１２の温度が上昇したときに、反りが生じ易い。
【００３２】
そこで本発明においては、第１平面領域３と第２平面領域４と第３平面領域５の下面に形成されたホーロー処理によるガラス皮膜の膜厚が、第１平面領域３と第２平面領域４と第３平面領域５以外の領域６の平面部１４の下面に形成されたホーロー処理によるガラス皮膜の膜厚より厚膜に構成される。これに加え本発明においては更に、第１平面領域３と第２平面領域４と第３平面領域５夫々の周縁部３１、４１、５１下面におけるガラス皮膜の膜厚が、第１平面領域３と第２平面領域４と第３平面領域５夫々の中心部３２、４２、５２の下面におけるガラス皮膜の膜厚より薄膜に構成されるものである。
【００３３】
第１実施形態においては、天板１２の上面（おもて面）、すなわち、平面部１４の上面及び外周部１３の外側を向く面には、１５０μｍのガラス皮膜が形成されている。また、第１平面領域３と第２平面領域４と第３平面領域５夫々の中心部３２、４２、５２の下面におけるガラス皮膜の膜厚は、２５０μｍとなるように形成される。また、第１平面領域３と第２平面領域４と第３平面領域５夫々の周縁部３１、４１、５１下面におけるガラス皮膜の膜厚は、１８０μｍとなるように形成される。
【００３４】
ここで仮に、天板１２が上下方向に凹凸の無い平板状の場合には、上面（おもて面）と同様に、下面（うら面）、すなわち、平面部１４の下面及び外周部１３の内側を向く面にも１５０μｍのガラス皮膜を形成することで、おもて面において、うわぐすりのガラスと生地（天板を構成する平板）との界面で作用する焼成終了時の冷却による熱応力が、うら面にも作用することになり、変形（反り）の発生が抑制されることになる。
【００３５】
しかし、第１実施形態のように、略矩形の平板の前後左右の外周縁を下方向に折り曲げて外周部１３が形成され、この外周部１３に囲繞された領域の平面部１４に形成されるバーナ突出用開口部２１〜２３の周縁に開口周縁部２０が上方に隆起形成される場合は、ガラスと生地との界面で作用する焼成終了時の冷却による熱応力による天板の反りを抑制しても、外周縁を下方向に折り曲げて形成すること及び開口周縁部２０が上方向に隆起形成することの影響により、天板１２の温度上昇による熱膨張によって、天板１２の中央辺りが上方に隆起変形し易いものとなる。
【００３６】
線膨張係数（線膨張率）が天板１２の生地（第１実施形態ではホーロー用鋼板）より小さいガラス皮膜が厚膜に形成されていることにより、ガスコンロ１の使用に伴う温度上昇が大きくなる第１平面領域３と第２平面領域４と第３平面領域５の温度上昇に伴う伸びが抑制されて、ガスコンロ１の使用に伴う天板１２の反りが抑制される。
【００３７】
このように、第１平面領域３と第２平面領域４と第３平面領域５夫々の周縁部３１、４１、５１下面におけるガラス皮膜の膜厚が、第１平面領域３と第２平面領域４と第３平面領域５夫々の中心部３２、４２、５２の下面におけるガラス皮膜の膜厚より薄膜に構成されるから、天板１２の外周縁及びバーナ突出用開口部２１〜２３周縁に、厚膜のガラス皮膜形成に伴ううわぐすりの溜まりが生じることが抑制される。
【００３８】
なお、熱膨張抑制のために厚膜に構成されるガラス皮膜は、天板１２の下面に形成されるから、平面部１４においてホーロー処理によるガラス皮膜が異なることによる斑が使用時に視認されることなく、ガスコンロ１の意匠性を損なうことが無い。
【００３９】
次に、第２実施形態について図３に基いて説明する。なお、第２実施形態は上記第１実施形態と大部分において同じであるため、同じ部分については同符号を付して説明を省略し、主に異なる部分について説明する。
【００４０】
上記第１実施形態では、図２に示すように、第１平面領域３と第２平面領域４と第３平面領域５とを、夫々略円形の領域として設けているのに対し、第２実施形態では、図３に示すように、第１平面領域３と第２平面領域４と第３平面領域５とを夫々略矩形の領域として設けてある。すなわち、これら夫々の周縁部３１、４１、５１の外郭形状と、夫々の中心部３２、４２、５２の形状とが略矩形に形成される。なお、略矩形とは、正方形、長方形は勿論、これらの一部が変形等したり（例えば角にＲが形成されたり微小な凹凸が形成される等）、全体が若干変形したものでもよい。
【００４１】
次に、第３実施形態について図４に基いて説明する。なお、第３実施形態は上記第２実施形態と大部分において同じであるため、同じ部分については同符号を付して説明を省略し、主に異なる部分について説明する。
【００４２】
図４に示すように、第３実施形態では、図３に示す上記第２実施形態と同様に、第１平面領域３と第２平面領域４と第３平面領域５とを夫々略矩形の領域として設けてあるが、第２実施形態と比べて、第１平面領域３と第２平面領域４と第３平面領域５が大きく設けられ、第１平面領域３と第２平面領域４とが重なる重複領域７と、第１平面領域３と第３平面領域５とが重なる重複領域７とが設けられる。
【００４３】
そして、重複領域７におけるガラス皮膜の膜厚が、重複領域７以外の第１平面領域３と第２平面領域４と第３平面領域５夫々の周縁部３１、４１、５１のガラス皮膜の膜厚より厚膜に構成されるもので、第３実施形態においては重複領域７の膜厚が２００μｍとなるように設けられる。
【００４４】
重複領域７は、温度上昇により上方に反りが生じ易い平面部１４に位置することになるが、重複領域７においてガラス皮膜の膜厚が厚膜に構成されることで、温度上昇に伴う重複領域７の伸びが抑制される。このため、ガスコンロ１の使用に伴う天板１２の反りが一層効果的に抑制される。
【００４５】
また、更に別の実施形態として、図示しないが、第１平面領域３と第２平面領域４と第３平面領域５の夫々の形状を、異なる形状としてもよい。すなわち、第１平面領域３と第２平面領域４と第３平面領域５のいずれか一つを略円形とし他を略矩形としたり、いずれか一つを略矩形とし他を略円形としてもよいし、他の形状を組み合わせてもよい。
【００４６】
なお、上述した実施形態においては、平面部１４に形成されるバーナ突出用開口部の数は３であるが、バーナ突出用開口部の数は特に限定されず、平面部１４のバーナ突出用開口部以外の部分に、図２〜図４に示す第１平面領域３と第２平面領域４と第３平面領域５と同等の大きさの領域を有する天板１２の場合に、本発明を適用することで顕著な効果が得られるものである。
【符号の説明】
【００４７】
１    ガスコンロ
１０  コンロバーナ
１１  機器本体
１２  天板
１３  外周部
１４  平面部
１４ａ  前縁
１４ｂ  後縁
１４ｃ  左縁
１４ｄ  右縁
１５  五徳
１６  グリル
１７  排気口
２０  開口周縁部
２１  左側の前側バーナ突出用開口部
２２  右側の前側バーナ突出用開口部
２３  後側バーナ突出用開口部
３    第１平面領域
３１  周縁部
３２  中心部
４    第２平面領域
４１  周縁部
４２  中心部
５    第３平面領域
５１  周縁部
５２  中心部
６    第１〜３平面領域以外の領域
７    重複領域
【図１】
2015117852.tif 000003
【図２】
2015117852.tif 000004
【図３】
2015117852.tif 000005
【図４】
2015117852.tif 000006